(57)【特許請求の範囲】
【請求項１】
携帯端末装置と、
前記携帯端末装置と通信し前記携帯端末装置をユーザーインターフェイスとして使用する画像形成装置とを備え、
前記画像形成装置は、
載置された原稿の画像を読み取る画像読取装置と、
ネットワーク通信装置と、
近距離通信装置と、
（ａ）前記ネットワーク通信装置で前記画像形成装置と前記携帯端末装置とが接続されたときに、前記画像読取装置を利用不可な第１レベル権限を前記携帯端末装置に付与し、（ｂ）前記近距離通信装置で前記携帯端末装置が検出されたときに、（ｂ１）前記画像読取装置を利用可能な第２レベル権限が付与されている携帯端末装置が存在しなければ、前記第１レベル権限を付与された前記携帯端末装置に前記第２レベル権限を付与し、（ｂ２）前記第２レベル権限が付与されている携帯端末装置が存在すれば、前記第１レベル権限を付与された前記携帯端末装置に前記第２レベル権限を付与せずに、前記第１レベル権限を付与された前記携帯端末装置に、前記第２レベル権限が付与されている携帯端末装置が既に存在することを通知し、前記第１レベル権限を付与された前記携帯端末装置に、前記第２レベル権限が付与されている携帯端末装置が既に存在することを表示させる権限管理部と、
（ａ）前記権限管理部により前記第１レベル権限が付与された場合に、前記第１レベル権限が付与されたことを示す権限付与通知を前記携帯端末装置へ送信して、前記画像読取装置を利用不可な第１操作画面を前記携帯端末装置に表示させ、（ｂ）前記権限管理部により前記第２レベル権限が付与された場合に、前記第２レベル権限が付与されたことを示す権限付与通知を前記携帯端末装置へ送信して、前記画像読取装置を利用可能な第２操作画面を前記携帯端末装置に表示させ、（ｃ）前記第１操作画面または前記第２操作画面に対する操作に基づくコマンドを前記携帯端末装置から受信すると、受信した前記コマンドに対応する処理が、前記コマンドを送信した前記携帯端末装置に付与されている権限に基づいて許可される場合、前記コマンドに対応する処理を実行するコントローラーとを備えること、
を特徴とする画像形成システム。
【請求項２】
携帯端末装置と通信し前記携帯端末装置をユーザーインターフェイスとして使用する画像形成装置において、
載置された原稿の画像を読み取る画像読取装置と、
ネットワーク通信装置と、
近距離通信装置と、
（ａ）前記ネットワーク通信装置で前記画像形成装置と前記携帯端末装置とが接続されたときに、前記画像読取装置を利用不可な第１レベル権限を前記携帯端末装置に付与し、（ｂ）前記近距離通信装置で前記携帯端末装置が検出されたときに、（ｂ１）前記画像読取装置を利用可能な第２レベル権限が付与されている携帯端末装置が存在しなければ、前記第１レベル権限を付与された前記携帯端末装置に前記第２レベル権限を付与し、（ｂ２）前記第２レベル権限が付与されている携帯端末装置が存在すれば、前記第１レベル権限を付与された前記携帯端末装置に前記第２レベル権限を付与せずに、前記第１レベル権限を付与された前記携帯端末装置に、前記第２レベル権限が付与されている携帯端末装置が既に存在することを通知し、前記第１レベル権限を付与された前記携帯端末装置に、前記第２レベル権限が付与されている携帯端末装置が既に存在することを表示させる権限管理部と、
（ａ）前記権限管理部により前記第１レベル権限が付与された場合に、前記第１レベル権限が付与されたことを示す権限付与通知を前記携帯端末装置へ送信して、前記画像読取装置を利用不可な第１操作画面を前記携帯端末装置に表示させ、（ｂ）前記権限管理部により前記第２レベル権限が付与された場合に、前記第２レベル権限が付与されたことを示す権限付与通知を前記携帯端末装置へ送信して、前記画像読取装置を利用可能な第２操作画面を前記携帯端末装置に表示させ、（ｃ）前記第１操作画面または前記第２操作画面に対する操作に基づくコマンドを前記携帯端末装置から受信すると、受信した前記コマンドに対応する処理が、前記コマンドを送信した前記携帯端末装置に付与されている権限に基づいて許可される場合、前記コマンドに対応する処理を実行するコントローラーと、
を備えることを特徴とする画像形成装置。
【請求項３】
前記権限管理部は、前記第２レベル権限を前記携帯端末装置に付与した後、前記画像読取装置についての所定時間以上の不使用期間が検出された場合、前記第２レベル権限を破棄することを特徴とする請求項２記載の画像形成装置。
【請求項４】
前記権限管理部は、（ａ）前記第２レベル権限を付与する際に新たにパスワードを生成して前記パスワードを有効とし、（ｂ）その第２レベル権限を破棄する際にそのパスワードを無効とし、
前記コントローラーは、（ａ）前記パスワードを、前記第２レベル権限を付与する前記携帯端末装置へ送信し、（ｂ１）有効な前記パスワードが前記コマンドとともに前記携帯端末装置から受信された場合、前記コマンドに対応する処理としての、前記画像読取装置を利用する処理を実行し、（ｂ２）有効な前記パスワードが前記コマンドとともに前記携帯端末装置から受信されなかった場合、前記コマンドに対応する処理としての、前記画像読取装置を利用する処理を拒否すること、
を特徴とする請求項２または請求項３記載の画像形成装置。
【請求項５】
印刷装置をさらに備え、
前記第１レベル権限および前記第２レベル権限では、いずれも、前記印刷装置の利用可能であること、
を特徴とする請求項２から請求項４のうちのいずれか１項記載の画像形成装置。
【発明の詳細な説明】
【技術分野】
【０００１】
本発明は、画像形成システムおよび画像形成装置に関するものである。
【背景技術】
【０００２】
あるシステムでは、リモート操作装置がデジタル複写機の操作部として機能し、ユーザーは、リモート操作装置を使用してデジタル複写機を利用可能となっている（例えば特許文献１参照）。
【先行技術文献】
【特許文献】
【０００３】
【特許文献１】特開２００４−３６３９６９号公報
【発明の概要】
【発明が解決しようとする課題】
【０００４】
ユーザーが、携帯端末装置を、複合機などの画像形成装置のユーザーインターフェイスとして使用する場合、印刷（つまり、ドキュメントデータに基づく文字画像、写真画像などの印刷）については、ユーザーが画像形成装置を直接操作しなくても実行可能であるため、複数のユーザーが、携帯端末装置を操作して、並行して、印刷のコマンドを画像形成装置に送信しても、順番に印刷が行われるため、特に問題は生じない。
【０００５】
他方、コピーやイメージスキャンについては、ユーザーが画像読取装置を直接操作する必要があるため、複数のユーザーが同時に画像形成装置を利用することが困難である。そのため、複数のユーザーが、それぞれ、携帯端末装置を操作して、コピーやイメージスキャンのコマンドを画像形成装置に送信すると、１人のユーザーは、画像形成装置を利用してコピーやイメージスキャンを実行できるものの、他のユーザーは、携帯端末装置を操作しているのにも拘わらず、画像形成装置を利用してコピーやイメージスキャンを実行できなくなってしまう。
【０００６】
本発明は、上記の問題に鑑みてなされたものであり、携帯端末装置が各ユーザーのユーザーインターフェイスとして使用される場合において、１台の携帯端末装置（つまり、１人のユーザー）にのみ、画像読取装置を利用可能な権限を適切に付与する画像形成システムおよび画像形成装置を得ることを目的とする。
【課題を解決するための手段】
【０００７】
本発明に係る画像形成システムは、携帯端末装置と、前記携帯端末装置と通信し前記携帯端末装置をユーザーインターフェイスとして使用する画像形成装置とを備える。前記画像形成装置は、載置された原稿の画像を読み取る画像読取装置と、ネットワーク通信装置と、近距離通信装置と、（ａ）前記ネットワーク通信装置で前記画像形成装置と前記携帯端末装置とが接続されたときに、前記画像読取装置を利用不可な第１レベル権限を前記携帯端末装置に付与し、（ｂ）前記近距離通信装置で前記携帯端末装置が検出されたときに、（ｂ１）前記画像読取装置を利用可能な第２レベル権限が付与されている携帯端末装置が存在しなければ、前記第１レベル権限を付与された前記携帯端末装置に前記第２レベル権限を付与し、（ｂ２）前記第２レベル権限が付与されている携帯端末装置が存在すれば、前記第１レベル権限を付与された前記携帯端末装置に前記第２レベル権限を付与せずに、前記第１レベル権限を付与された前記携帯端末装置に、前記第２レベル権限が付与されている携帯端末装置が既に存在することを通知し、前記第１レベル権限を付与された前記携帯端末装置に、前記第２レベル権限が付与されている携帯端末装置が既に存在することを表示させる権限管理部と、（ａ）前記権限管理部により前記第１レベル権限が付与された場合に、前記第１レベル権限が付与されたことを示す権限付与通知を前記携帯端末装置へ送信して、前記画像読取装置を利用不可な操作画面を前記携帯端末装置に表示させ、（ｂ）前記権限管理部により前記第２レベル権限が付与された場合に、前記第２レベル権限が付与されたことを示す権限付与通知を前記携帯端末装置へ送信して、前記画像読取装置を利用可能な操作画面を前記携帯端末装置に表示させ、（ｃ）前記第１操作画面または前記第２操作画面に対する操作に基づくコマンドを受信すると、受信した前記コマンドに対応する処理が、前記コマンドを送信した前記携帯端末装置に付与されている権限に基づいて許可される場合、前記コマンドに対応する処理を実行するコントローラーとを備える。
【０００８】
本発明に係る画像形成装置は、携帯端末装置と通信し前記携帯端末装置をユーザーインターフェイスとして使用する画像形成装置であって、載置された原稿の画像を読み取る画像読取装置と、ネットワーク通信装置と、近距離通信装置と、（ａ）前記ネットワーク通信装置で前記画像形成装置と前記携帯端末装置とが接続されたときに、前記画像読取装置を利用不可な第１レベル権限を前記携帯端末装置に付与し、（ｂ）前記近距離通信装置で前記携帯端末装置が検出されたときに、（ｂ１）前記画像読取装置を利用可能な第２レベル権限が付与されている携帯端末装置が存在しなければ、前記第１レベル権限を付与された前記携帯端末装置に前記第２レベル権限を付与し、（ｂ２）前記第２レベル権限が付与されている携帯端末装置が存在すれば、前記第１レベル権限を付与された前記携帯端末装置に前記第２レベル権限を付与せずに、前記第１レベル権限を付与された前記携帯端末装置に、前記第２レベル権限が付与されている携帯端末装置が既に存在することを通知し、前記第１レベル権限を付与された前記携帯端末装置に、前記第２レベル権限が付与されている携帯端末装置が既に存在することを表示させる権限管理部と、（ａ）前記権限管理部により前記第１レベル権限が付与された場合に、前記第１レベル権限が付与されたことを示す権限付与通知を前記携帯端末装置へ送信して、前記画像読取装置を利用不可な第１操作画面を前記携帯端末装置に表示させ、（ｂ）前記権限管理部により前記第２レベル権限が付与された場合に、前記第２レベル権限が付与されたことを示す権限付与通知を前記携帯端末装置へ送信して、前記画像読取装置を利用可能な第２操作画面を前記携帯端末装置に表示させ、（ｃ）前記第１操作画面または前記第２操作画面に対する操作に基づくコマンドを受信すると、受信した前記コマンドに対応する処理が、前記コマンドを送信した前記携帯端末装置に付与されている権限に基づいて許可される場合、前記コマンドに対応する処理を実行するコントローラーとを備える。
【発明の効果】
【０００９】
本発明によれば、携帯端末装置が各ユーザーのユーザーインターフェイスとして使用される場合において、１台の携帯端末装置（つまり、１人のユーザー）にのみ、画像読取装置を利用可能な権限を適切に付与する画像形成システムおよび画像形成装置が得られる。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る画像形成システムの構成を示すブロック図である。
【図２】図２は、図１における画像形成装置１の構成を示すブロック図である。
【図３】図３は、図２に示す画像形成装置１の近距離通信装置３２およびプロセッサー３３についてのハードウェア構成の一例を示すブロック図である。
【図４】図４は、図１に示すシステムにおける各装置の動作について説明するシーケンス図である。
【図５】図５は、図１における携帯端末装置３において表示される第１操作画面の一例を示す図である。
【図６】図６は、図１における携帯端末装置３において表示される第２操作画面の一例を示す図である。
【発明を実施するための形態】
【００１２】
以下、図に基づいて本発明の実施の形態を説明する。
【００１３】
図１は、本発明の実施の形態に係る画像形成システムの構成を示すブロック図である。図１に示すシステムでは、画像形成装置１がネットワーク２に接続されており、携帯端末装置３が、ネットワーク２に接続可能となっている。なお、携帯端末装置３は、各ユーザーに携帯されており、複数のユーザーが存在する場合には、複数の携帯端末装置３が存在する。
【００１４】
画像形成装置１は、ファクシミリ機、複合機などの装置であって、携帯端末装置３をユーザーインターフェイスとして使用する。なお、画像形成装置１は、ユーザーインターフェイスとしての操作パネルを備えておらず、ユーザーインターフェイスとして携帯端末装置３を使用する。
【００１５】
ユーザーは、コピーやイメージスキャンを行いたい場合には、原稿を画像形成装置１にセットする必要があるため、画像形成装置１へ向かって移動する。その際、携帯端末装置３は、ユーザーに携帯されているため、携帯端末装置３もユーザーとともに画像形成装置１へ向かって移動する。
【００１６】
携帯端末装置３は、スマートフォン、タブレット型パーソナルコンピューターなどの装置であって、ネットワーク２に接続可能なネットワーク通信機能、ブルートゥース（商標）などの近距離無線通信機能、画像形成装置１のユーザーインターフェイス機能などを備える。
【００１７】
携帯端末装置３は、表示装置、入力装置、並びに表示装置および入力装置の制御並びに画像形成装置１との通信を行うドライバーを備え、これらの表示装置、入力装置、およびドライバーで、画像形成装置１のユーザーインターフェイス機能を実現する。
【００１８】
ユーザーインターフェイス機能は、操作画面の表示、ユーザー操作の受け付け、ユーザー操作に基づくコマンドの送信を含む。コマンドとしては、印刷、スキャンなどの処理の実行のための実行コマンド、処理の設定のための設定コマンドなどが使用される。
【００１９】
図２は、図１における画像形成装置１の構成を示すブロック図である。
【００２０】
画像形成装置１は、ネットワーク通信装置３１、近距離通信装置３２、プロセッサー３３、印刷装置３４、画像読取装置３５、ファクシミリ装置３６などを備える。
【００２１】
ネットワーク通信装置３１は、ネットワークインターフェイスなどであって、ネットワーク２を介して、携帯端末装置３とデータ通信を行う装置である。
【００２２】
近距離通信装置３２は、所定距離の範囲内に存在する携帯端末装置３を検出し、検出した携帯端末装置３と無線通信する装置である。近距離通信装置３２としては、例えばブルートゥース（商標）の通信装置が使用される。
【００２３】
プロセッサー３３は、例えば、ＣＰＵ（Central Processing Unit）、ＲＯＭ（Read Only Memory）、およびＲＡＭ（Random Access Memory）を有するコンピューターであって、ＲＯＭや図示せぬ記憶装置に記憶されているプログラムをＲＡＭにロードしてＣＰＵで実行することにより、各種処理部として動作する。
【００２４】
図３は、図２に示す画像形成装置１の近距離通信装置３２およびプロセッサー３３についてのハードウェア構成の一例を示すブロック図である。例えば図３に示すように、プロセッサー３３（ＣＰＵ３３ａなど）はメイン基板１０１に配置されており、近距離通信装置３２は、１つのＩＣ（Integrated Circuit）チップとして別のＮＦＣ基板１０２に配置されている。メイン基板１０１およびＮＦＣ基板１０２にはコネクター１１２，１２１がそれぞれ設けられている。そして、リアルタイムクロック回路１１１を使用したＩ２ＣインターフェイスでＣＰＵ３３ａと近距離通信装置３２とが接続され、リアルタイムクロック回路１１１により生成されるクロックＣＬＫに同期して信号ＳＩＧが送受される。
【００２５】
なお、印刷装置３４は、携帯端末装置３などから受信されるドキュメントデータに基づく画像などを印刷する。画像読取装置３５は、プラテングラスなどに載置された原稿から原稿画像を光学的に読み取り、その原稿画像の画像データを生成する。ファクシミリ装置３６は、携帯端末装置３などから受信されるドキュメントデータに基づく画像などのファクシミリ信号を生成し送信するとともに、外部からファクシミリ信号を受信しそのファクシミリ信号から画像を生成する。
【００２６】
そして、プロセッサー３３は、コントローラー４１および権限管理部４２として動作する。
【００２７】
コントローラー４１は、印刷装置３４、画像読取装置３５、ファクシミリ装置３６などの内部装置を制御して、各種処理を実行する。
【００２８】
また、コントローラー４１は、（ａ）権限管理部４２により第１レベル権限が携帯端末装置２に付与された場合に、第１レベル権限が付与されたことを示す権限付与通知をその携帯端末装置３へ送信して、画像読取装置３５を利用不可な第１操作画面をその携帯端末装置３に表示させ、（ｂ）権限管理部４２により第２レベル権限が携帯端末装置３に付与された場合に、第２レベル権限が付与されたことを示す権限付与通知をその携帯端末装置３へ送信して、画像読取装置３５を利用可能な第２操作画面をその携帯端末装置３に表示させ、（ｃ）第１操作画面または第２操作画面に対する操作に基づくコマンドを受信すると、受信したコマンドに対応する処理が、そのコマンドを送信した携帯端末装置３に付与されている権限に基づいて許可される場合、そのコマンドに対応する処理を実行する。なお、受信したコマンドに対応する処理が、そのコマンドを送信した携帯端末装置３に付与されている権限に基づいて許可されない場合、そのコマンドに対応する処理は実行されない。
【００２９】
権限管理部４２は、（ａ）ネットワーク通信装置３１で画像形成装置１と携帯端末装置３とが接続されたときに、画像読取装置３５を利用不可な第１レベル権限をその携帯端末装置３に付与し、（ｂ）近距離通信装置３２でその携帯端末装置３が検出されたときに、画像読取装置３５を利用可能な第２レベル権限が付与されている携帯端末装置が存在しなければ、第１レベル権限を付与されたその携帯端末装置３に第２レベル権限を付与する。つまり、１台の携帯端末装置３に対して排他的に第２レベル権限が付与される。
【００３０】
なお、第１レベル権限および第２レベル権限では、いずれも、印刷装置３４の利用可能である。第１レベル権限では、印刷ジョブの実行は可能であるが、コピージョブおよびスキャンジョブの実行は不可である。一方、第２レベル権限では、印刷ジョブ、コピージョブおよびスキャンジョブの実行が可能である。
【００３１】
また、権限管理部４２は、第２レベル権限を携帯端末装置３に付与した後、画像読取装置３５についての所定時間以上の不使用期間が検出された場合、その携帯端末装置３の第２レベル権限を破棄し、第１レベル権限を携帯端末装置３に付与する。これにより、第２レベル権限が付与された携帯端末装置３のユーザーが画像形成装置１から離れてしまった場合、不使用期間の経過後、別にユーザーに第２レベル権限を付与することが可能となる。
【００３２】
さらに、この実施の形態では、権限管理部４２は、（ａ）第２レベル権限を付与する際に新たにパスワード（ここでは、過去に発行したパスワードとは異なるパスワード）を生成してそのパスワードを有効とし、（ｂ）その第２レベル権限を破棄する際にそのパスワードを無効とする。そして、コントローラー４１は、（ａ）生成されたパスワードを、第２レベル権限を付与する携帯端末装置３へ送信し、（ｂ１）有効なパスワードがコマンドとともに受信された場合、画像読取装置３５を利用する処理を実行し、（ｂ２）有効なパスワードがコマンドとともに受信されなかった場合、画像読取装置３５を利用する処理を拒否する。これにより、以前に第２レベル権限が付与された携帯端末装置３を使用して、画像読取装置３５を利用する処理を実行することができなくなり、複数のユーザーによって同時に第２レベル権限に基づく操作が行われずに済む。
【００３３】
次に、図１に示すシステムにおける各装置の動作について説明する。図４は、図１に示すシステムにおける各装置の動作について説明するシーケンス図である。
【００３４】
ユーザーは、画像形成装置１を利用したいとき、携帯端末装置３を操作して、ネットワーク２を介して携帯端末装置３を画像形成装置１に接続させる。このとき、画像形成装置１において、ネットワーク通信装置３１は、携帯端末装置３との接続を確立する（ステップＳ１）。
【００３５】
コントローラー４１は、ネットワーク通信装置３１により接続が確立された携帯端末装置３を、例えば携帯端末装置３から受信したネットワーク識別子（ＩＰアドレスなど）に基づいて特定し、権限管理部４２は、特定された携帯端末装置３に対して、第１レベル権限を付与する（ステップＳ２）。
【００３６】
そして、コントローラー４１は、第１レベル権限が付与されたことを示す権限付与通知を、ネットワーク通信装置３１を使用して、その携帯端末装置３へ送信して（ステップＳ３）、第１操作画面を携帯端末装置３に表示させる（ステップＳ４）。このとき、携帯端末装置３は、第１レベル権限の権限付与通知を受信すると、第１操作画面を表示する。
【００３７】
この第１操作画面は、画像読取装置３５を利用不可な操作画面である。つまり、第１操作画面では、ユーザーは、コピーやイメージスキャンの設定コマンドや実行コマンドを出力することができない。
【００３８】
図５は、図１における携帯端末装置３において表示される第１操作画面の一例を示す図である。図５に示す携帯端末装置３は、表示装置および入力装置を備える。表示装置としては、液晶ディスプレイ３０１が設けられており、入力装置としては、タッチパネル３０２およびハードキー３０３が設けられている。例えば図５に示す第１操作画面が液晶ディスプレイ３０１において表示される。この第１操作画面では、印刷の設定および印刷の実行が可能なプリントタブ３１１のみが表示されており、コピーやイメージスキャンの設定および実行が可能なタブは表示されていない。したがって、ユーザーは、コピーやイメージスキャンの設定および実行を行うことはできない。
【００３９】
ユーザーは、画像形成装置１で原稿の印刷を実行したい場合、第１操作画面のプリントタブ３１１に対してユーザー操作を行う。携帯端末装置３は、第１操作画面に対するユーザー操作に従って、印刷設定や印刷実行のコマンドを画像形成装置１へ送信する。画像形成装置１では、コントローラー４１が、ネットワーク通信装置３１を使用して、そのコマンドを受信し（ステップＳ５）、受信したコマンドに対応する処理（印刷設定、印刷実行など）を実行する（ステップＳ６）。
【００４０】
また、ユーザーは、画像形成装置１でコピーまたはイメージスキャンを実行したい場合、画像形成装置１に向かって移動し、携帯端末装置３を画像形成装置１にかざす。これにより、携帯端末装置３が、近距離通信装置３２により検出される（ステップＳ７）。
【００４１】
コントローラー４１は、近距離通信装置３２により検出された携帯端末装置３を特定し、権限管理部４２は、現時点において第２レベル権限がどの携帯端末装置３にも付与されていない場合には、特定された携帯端末装置３に対して、第２レベル権限を付与する（ステップＳ８）。なお、権限管理部４２は、現時点において第２レベル権限がいずれかの携帯端末装置３に付与されている場合には、特定された携帯端末装置３に対して、第２レベル権限を付与しない。また、第２レベル権限が付与された後、近距離通信装置３２によりその携帯端末装置３が検出されなくなっても、権限管理部４２は、ただちには第２レベル権限を破棄しない。
【００４２】
そして、コントローラー４１は、第２レベル権限が付与されたことを示す権限付与通知を、ネットワーク通信装置３１または近距離通信装置３２を使用して、その携帯端末装置３へ送信して（ステップＳ９）、第２操作画面を携帯端末装置３に表示させる（ステップＳ１０）。このとき、携帯端末装置３は、第２レベル権限の権限付与通知を受信すると、第２操作画面を表示する。
【００４３】
この第２操作画面は、画像読取装置３５を利用可能な操作画面である。つまり、第２操作画面では、ユーザーは、印刷の設定コマンドや実行コマンドを出力することができる他、コピーやイメージスキャンの設定コマンドや実行コマンドを出力することができる。
【００４４】
図６は、図１における携帯端末装置３において表示される第２操作画面の一例を示す図である。例えば図６に示す第２操作画面が液晶ディスプレイ３０１において表示される。この第２操作画面では、プリントタブ３１１の他、コピーの設定およびコピーの実行が可能なコピータブ３１２、並びにイメージスキャンの設定およびイメージスキャンの実行が可能なスキャンタブ３１３が表示されている。したがって、ユーザーは、コピータブ３１２またはスキャンタブ３１３で、コピーやイメージスキャンの設定および実行を行うことができる。
【００４５】
そして、ユーザーは、第２操作画面のプリントタブ３１１、コピータブ３１２、およびスキャンタブ３１３のいずれかを選択し、選択したタブに対してユーザー操作を行う。携帯端末装置３は、第２操作画面に対するユーザー操作に従って、印刷、コピー、およびイメージスキャンのいずれかに関するコマンドを画像形成装置１へ送信する。画像形成装置１では、コントローラー４１が、ネットワーク通信装置３１または近距離通信装置３２を使用して、そのコマンドを受信し（ステップＳ１１）、受信したコマンドに対応する処理（ジョブ設定、ジョブ実行など）を実行する（ステップＳ１２）。
【００４６】
また、画像形成装置１において、コントローラー４１は、第２レベル権限の付与後、画像読取装置３５の不使用期間（つまり、第２レベル権限付与のタイミングから、または画像読取装置３５が最後に使用されてから継続的に画像読取装置３５が使用されていない期間）を監視し、コントローラー４１が所定の時間以上の画像読取装置３５の不使用期間を検出すると（ステップＳ１３）、権限管理部４２は、携帯端末装置３から第２レベル権限を破棄し、携帯端末装置３に第１レベル権限を付与する（ステップＳ１４）。
【００４７】
そして、コントローラー４１は、第２レベル権限が破棄されたことを示す権限破棄通知を、ネットワーク通信装置３１または近距離通信装置３２を使用して、その携帯端末装置３へ送信して（ステップＳ１５）、第２操作画面の表示を携帯端末装置３に終了させ、第１操作画面を表示させる（ステップＳ１６）。
【００４８】
このように、第２レベル権限が破棄されても、画像形成装置１と携帯端末装置３との接続が確立されている場合には、第１操作画面が表示される。
【００４９】
その後、画像形成装置１と携帯端末装置３との接続が切断されると（ステップＳ１７）、画像形成装置１では、権限管理部４２は、その時点でその携帯端末装置３に付与している権限（第１レベル権限または第２レベル権限）を破棄し（ステップＳ１８）、携帯端末装置３は、操作画面（第１操作画面または第２操作画面）の表示を終了する。
【００５０】
以上のように、上記実施の形態によれば、画像形成装置１において、権限管理部４２は、（ａ）ネットワーク通信装置３１で画像形成装置１と携帯端末装置３とが接続されたときに、画像読取装置３５を利用不可な第１レベル権限を携帯端末装置３に付与し、（ｂ）近距離通信装置３２で携帯端末装置３が検出されたときに、画像読取装置３５を利用可能な第２レベル権限が付与されている携帯端末装置３が存在しなければ、第１レベル権限を付与された携帯端末装置３に第２レベル権限を付与する。コントローラー４１は、（ａ）権限管理部４２により第１レベル権限が付与された場合に、第１レベル権限が付与されたことを示す権限付与通知を携帯端末装置３へ送信して、画像読取装置３５を利用不可な第１操作画面を携帯端末装置３に表示させ、（ｂ）権限管理部４２により第２レベル権限が付与された場合に、第２レベル権限が付与されたことを示す権限付与通知を携帯端末装置３へ送信して、画像読取装置３５を利用可能な第２操作画面を携帯端末装置３に表示させ、（ｃ）第１操作画面または第２操作画面に対する操作に基づくコマンドを受信すると、、受信したコマンドに対応する処理が、そのコマンドを送信した携帯端末装置３に付与されている権限に基づいて許可される場合、そのコマンドに対応する処理を実行する。
【００５１】
これにより、携帯端末装置３が各ユーザーのユーザーインターフェイスとして使用される場合において、１台の携帯端末装置３（つまり、１人のユーザー）にのみ、画像読取装置３５を利用可能な権限が適切に付与される。
【００５２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５３】
例えば、上記実施の形態において、近距離通信装置３２で携帯端末装置３が検出されたときに、第２レベル権限が既に付与されている場合には、コントローラー４１は、その旨を携帯端末装置３に通知し、携帯端末装置３にその旨（つまり、現在他のユーザーが画像読取装置３５を使用中であること）を表示させるようにしてもよい。
【産業上の利用可能性】
【００５４】
本発明は、例えば、画像読取装置を備える画像形成装置に適用可能である。
【符号の説明】
【００５５】
１  画像形成装置
３  携帯端末装置
３１  ネットワーク通信装置
３２  近距離通信装置
３４  印刷装置
３５  画像読取装置
４１  コントローラー
４２  権限管理部
【図１】
0006501124.tif 000002
【図２】
0006501124.tif 000003
【図３】
0006501124.tif 000004
【図４】
0006501124.tif 000005
【図５】
0006501124.tif 000006
【図６】
0006501124.tif 000007